(57)【要約】【課題】切開孔から流出した体液が下方に流出することを防止することにより、体液が体を伝って流れたり、流出した体液が肌着を汚したりすることによる不快感を防止し、切開孔を有する人を快適にできる器具を提供する。【解決手段】  カニューレ１０１を挿入するために人体の表面に設けられた気管切開孔の下方に、袋状部材固定手段としての接着テープ５によって、開口部６を上方に向けて貼り付けることにより、切開孔から流出する痰を、流出体液回収容器である痰受け袋１の袋状部材２の袋状空間２ａに回収できる。【選択図】  図６
0003123393.tif 000002
【実用新案登録請求の範囲】
【請求項１】
上端に開口部を備える袋状部材と、
該袋状部材を人体の表面に固定する袋状部材固定手段とを有し、
人体の表面の切開孔から流出する体液を回収することを特徴とする流出体液回収容器。
【請求項２】
請求項１の流出体液回収容器において、
上記切開孔から流出する体液として、気管切開孔から流出する体液を回収することを特徴とする流出体液回収容器。
【請求項３】
請求項１または２の流出体液回収容器において、
上記袋状部材の上記開口部を形成する上端部の上記人体表面と接触する接触開口端部について、
該接触開口端部の中央部が幅方向の両端部よりも下方になるように、該接触開口端部の中央部が凹んだ形状となっていることを特徴とする流出体液回収容器。
【請求項４】
請求項１、２または３の流出体液回収容器において、
上記袋状部材の上記開口部を形成する上端部の上記人体表面と接触する接触開口端部と該人体表面と接触しない非接触開口端部とについて、
該非接触開口端部は、該接触開口端部の中央部よりも上方となることを特徴とする流出体液回収容器。
【請求項５】
請求項１、２、３または４の流出液回収容器において、
上記袋状部材は袋表面シート部と袋裏面シート部とを備え、
該袋表面シート部と該袋裏面シート部との上記開口部を形成する上端部以外の端部は互いに接着し、上記人体表面にとりつけたときに該袋裏面シート部が該人体表面と対向するものであって、
該開口部を形成する袋表面シート開口端部と袋裏面シート開口端部とについて、
該袋表面シート開口端部近傍の袋表面シート部の横方向の長さは、該袋裏面シート開口端部近傍の袋表面シート部の横方向の長さよりも長いことを特徴とする流出体液回収容器。
【請求項６】
請求項１、２、３、４または５の流出体液回収容器において、
上記袋状部材は袋表面シート部と袋裏面シート部とを備え、
該袋表面シート部と該袋裏面シート部との上記開口部を形成する箇所以外の端部は互いに接着し、
該袋表面シート部と該袋裏面シート部とが互いに接着した端部以外で接触することを防止するシート部接触防止手段を備えることを特徴とする流出体液回収容器。
【考案の詳細な説明】
【技術分野】
【０００１】
本考案は、手術などにより人体表面に設けられた切開孔から流出する体液が、下方に流れて人体表面上に広がってしまうことを防止する器具に関するものである。
【背景技術】
【０００２】
従来、手術などにより人体表面に設けられた切開孔に対しては、その周りをガーゼ等の吸水性の物品で覆い、切開孔から体液が流出することを抑制している。
以下、その一例を具体的に説明する。
呼吸器系障害のため喉部を切開し、カニューレと称する器具をその切開孔に挿入したカニューレ使用者は、定期的にカニューレよりカテーテルと称する器具を挿入し、気管内の体液である痰を吸引する。カテーテルを挿入しているとき以外でも、カニューレは切開孔に挿入された状態のままであり、切開孔の周囲をガーゼで覆い、このガーゼをテープで止めることで切開孔とカニューレとの隙間から痰が流出することを抑制している。
【考案の開示】
【考案が解決しようとする課題】
【０００３】
しかしながら、ガーゼに痰を染み込ませて流出を抑制しているだけであるので、カニューレと切開孔との隙間から流出した痰がガーゼから染み出し、体の表面を伝って胸部、腹部などの下方へ流出する。ガーゼから染み出した痰が体を伝って胸部や腹部などに流出することはカニューレ使用者にとっては不快となり、流出した唾液を肌着が吸水し、肌着を汚すこともカニューレ使用者にとって不快となる。また、唾液が体を伝わる不快感を解消するために、カニューレ使用者本人または介護者がふき取る必要があるが、体の表面を伝って流出した唾液は体の表面を広域にわたって広がるため、ふき取ることも大変な作業となる。
このようにガーゼから染み出した痰が体の表面を伝わって胸部、腹部などの下方へ流出することを防ぐために、ポケットタオルまたはティッシュペーパーなどの吸水性の物品をガーゼの下にあてがっているのが現状であるが、上述した問題の根本的な解決にはならない。
このような問題は、カニューレ使用者に限らず、ドレーンと称される管状の器具を挿入されている場合等、体の表面に切開孔が設けられ、この切開孔から体液が流出する状態であれば同様の問題が発生する。
【０００４】
本考案は、以上の問題に鑑みなされたものであり、その目的とするところは、切開孔から流出した体液が下方に流出することを防止することにより、切開孔を有する人を快適にできる器具を提供することである。
【課題を解決するための手段】
【０００５】
上記目的を達成するために、請求項１の発明は、上端に開口部を備える袋状部材と、該袋状部材を人体の表面に固定する袋状部材固定手段とを有し、人体の表面の切開孔から流出する体液を回収することを特徴とするものである。
また、請求項２の発明は、請求項１の流出体液回収容器において、上記切開孔から流出する体液として、気管切開孔から流出する体液を回収することを特徴とするものである。
また、請求項３の発明は、請求項１または２の流出体液回収容器において、上記袋状部材の上記開口部を形成する上端部の上記人体表面と接触する接触開口端部について、該接触開口端部の中央部が幅方向の両端部よりも下方になるように、該接触開口端部の中央部が凹んだ形状となっていることを特徴とするものである。
また、請求項４の発明は、請求項１、２または３の流出体液回収容器において、上記袋状部材の上記開口部を形成する上端部の上記人体表面と接触する接触開口端部と該人体表面と接触しない非接触開口端部とについて、該非接触開口端部は、該接触開口端部の中央部よりも上方となることを特徴とするものである。
また、請求項５の発明は、請求項１、２、３または４の流出液回収容器において、上記袋状部材は袋表面シート部と袋裏面シート部とを備え、該袋表面シート部と該袋裏面シート部との上記開口部を形成する上端部以外の端部は互いに接着し、上記人体表面にとりつけたときに該袋裏面シート部が該人体表面と対向するものであって、該開口部を形成する袋表面シート開口端部と袋裏面シート開口端部とについて、該袋表面シート開口端部近傍の袋表面シート部の横方向の長さは、該袋裏面シート開口端部近傍の袋表面シート部の横方向の長さよりも長いことを特徴とするものである。
また、請求項６の発明は、請求項１、２、３、４または５の流出体液回収容器において、上記袋状部材は袋表面シート部と袋裏面シート部とを備え、該袋表面シート部と該袋裏面シート部との上記開口部を形成する箇所以外の端部は互いに接着し、該袋表面シート部と該袋裏面シート部とが互いに接着した端部以外で接触することを防止するシート部接触防止手段を備えることを特徴とするものである。
【０００６】
上記請求項１乃至６の流出体液回収容器においては、上端に開口部を備える袋状部材と袋状部材を人体の表面に固定する袋状部材固定手段とを有する流出体液回収容器により、この流出体液回収容器を固定した位置よりも下方に体液が流出することを防止できる。
【考案の効果】
【０００７】
請求項１乃至６の考案によれば、流出体液回収容器を固定した位置よりも下方に体液が流出することを防止できるため、体液が体表面を伝わることや、体液により肌着が汚れることを防止し、これらに起因する不快感を防止し、切開孔を有する人を快適にできるという優れた効果がある。
【考案を実施するための最良の形態】
【０００８】
［実施形態］
以下、本考案の一実施形態として、流出体液回収容器をカニューレと称する器具を挿入した切開孔の下方で痰を回収する痰受け袋とした実施形態について説明する。
図１は、本実施形態の流出体液回収容器である痰受け袋１の斜視図である。
図２は、図１中矢印Ａ方向から見た痰受け袋１の正面図、図３は、図１中矢印Ｂ方向から見た痰受け袋１の正面図、図４は、図１中矢印Ｃ方向から見た痰受け袋１の上面図である。
また、図５は、痰受け袋１を人体に取り付けた状態の正面図であり、図６は図５を側面から見た図であり、痰受け袋１については図１中矢印Ｄ方向から見た痰受け袋１の側方中央断面図である。
【０００９】
痰受け袋１は、袋状部材２と袋状部材固定手段としての接着テープ５とを備有し、袋状部材２はその上端に開口部６を備えている。そして、図５及び図６に示すように、カニューレ１０１を挿入するために人体表面に設けられた気管切開孔の下方に、接着テープ５によって、開口部６を上方に向けて貼り付けることにより、切開孔から流出する痰を痰受け袋１の袋状空間２ａに回収できる。これにより、胸部などの下方への痰の流出を防止することができるため、衛生面で安心であり、着用者本人も快適となる。
なお、痰受け袋１を貼り付けるときには、接着テープ５の粘着部を覆う剥離子である保護シートを取り除き、粘着部を喉部下に貼り付ける。
【００１０】
袋状部材２は、袋表面シート部３と袋裏面シート部４との上端部以外の端部を互いに接着して形成されており、袋表面シート部３と袋裏面シート部４とが接着していない上端部が開口部６を形成する。なお、袋表面シート部３と袋裏面シート部４とは、二枚のシート部材の端部を接着して袋状に形成したり、二枚のシート部材を重ねたような形状に一体成型により形成しても良い。本実施形態の袋状部材２は、袋表面シート部３及び袋裏面シート部４として、厚さ０．０８［ｍｍ］のポリエチレン製のシートを用いており、袋状部材２の横方向の長さＬは、６０［ｍｍ］、高さ方向の長さＨは８０［ｍｍ］である。
開口部６を形成する袋表面シート部３と袋裏面シート部４との上端部について、人体表面と対向し接触する接触開口端部である袋裏面シート部４の上端部は、その中央部４ｍが幅方向の両端部４ｓよりも下方になる。すなわち、袋裏面シート部４は、図１及び図３に示すように、その上端部の中央部が凹んだ形状となっている。
【００１１】
このように、袋裏面シート部４は、その上端部の中央部４ｍが凹んだ形状となっている。袋裏面シート部４の上端部が直線状よりも、袋裏面シート部４の上端部の中央部４ｍが凹んだ形状のほうが凹凸のある人体表面に対してフィットする。痰受け袋１で痰を回収するときは、切開孔の下方で痰受け袋１の取り付け位置よりも上方の人体表面を流れてきた痰が、接着テープ５によって人体表面に固定された袋裏面シート部４の上端部の厚みを乗り越えて袋状空間２ａ内に流入する。このとき、袋裏面シート部４の上端部が人体表面にフィットしていることにより、より確実に痰を回収できる。
【００１２】
また、袋裏面シート部４の上端部には厚みがあるため、流出した痰は、この厚みを乗り越えるまでは、袋裏面シート部４の上端部と人体表面との境目に沿って横方向に流れる。袋裏面シート部４の上端部が直線状であると、厚みを乗り越えるまでに横方向に流れる痰が袋裏面シート部４の上端部の横方向両端まで到達し、端部から漏れてしまい、そのまま人体表面に沿って下方に流出するおそれがあった。
一方、袋裏面シート部４の上端部の中央部４ｍが凹んだ形状であれば、痰が袋裏面シート部４の上端部と人体表面との境目に沿って横方向に流れるときに、その傾きに沿って袋裏面シート部４の上端部の中央部４ｍに向かって流れる。中央部４ｍに向かって痰が流れることにより、袋裏面シート部４の上端部の横方向端部から痰が漏れることを防止できる。また、袋裏面シート部４の上端部の厚みを乗り越えにくいような、少量ずつ痰が流出する状態であっても、袋裏面シート部４の上端部の中央部４ｍに痰が集中するため、袋裏面シート部４の上端部の厚みを乗り越えることを促すことができる。
【００１３】
また、袋裏面シート部４の取り付け位置と切開孔との間の距離が長すぎると、痰がこの間を流出する間に、横方向に広がり、袋裏面シート部４の横方向端部よりも外側に流れる痰の量が多くなり、痰の回収性が低下する。一方、袋裏面シート部４の取り付け位置と切開孔との間の距離が短すぎると、人体表面と接触する袋裏面シート部４の上端部が切開孔の近くを刺激することになり、痰の流出量が増える問題があった。痰の流出量が増加する刺激は、中央部ほど影響を受け易いことが分かっている。本実施形態の袋裏面シート部４のように、両端部４ｓが上方にあることで痰の回収性を維持しつつ、中央部４ｍが両端部４ｓよりも下方に位置することにより痰の流出量が増加する刺激を軽減できる。
なお、接着テープ５は、図３に示すように袋裏面シート部４の上端部の輪郭に沿った形状に形成することにより、袋裏面シート部４の上端部を人体表面に対してフィットして固定でき、切開孔から流出した痰をより確実に回収できる。
【００１４】
開口部６を形成する袋表面シート開口端部と袋裏面シート開口端部とである袋表面シート部３と袋裏面シート部４との上端部近傍について、上面図である図４に示すように、袋表面シート部３の方が袋裏面シート部４よりも長くなっている。袋表面シート部３の方が長い状態で、それぞれの両端部を接着しているので、袋表面シート部３の上端部近傍はその中央部が撓んだ状態となり、この撓み分、袋裏面シート部４の上端部と袋表面シート部３上端部とが離れることにより、開口部６が開いた状態となる。
袋裏面シート部４の上端部と袋表面シート部３上端部との横方向の長さの違いにより、袋表面シート部３上端部が撓むことで開口部６が開き、痰の袋状空間２ａへの流入を促すことができる。
本実施形態の痰受け袋１では、袋裏面シート部４の上端部近傍の横方向の長さは、６０［ｍｍ］であり、袋表面シート部３の上端部近傍の長さは６８［ｍｍ］である。
【００１５】
袋表面シート部３上端部は、その中央部のたわみが最大となり、袋裏面シート部４と接着している横方向両端部を結ぶ円弧のようにたわむことにより、開口部６が大きく開いた状態となり、痰を良好に回収できる。袋表面シート部３の上端部がこのように撓まず、横方向両端部以外の箇所で袋裏面シート部４と接触した状態となると、開口部６の少なくとも一部が閉じられた状態となり、痰を回収しにくくなる。
本実施形態の痰受け袋１では、開口部６において袋表面シート部３と袋裏面シート部４とが接触することを防止するシート部接触防止手段として、袋表面シート部３の上端部の内側に開口部保持板８を備えている。図７は、開口部保持板８の斜視図である。開口部保持板８は、厚さ０．４［ｍｍ］のアクリル製で、長さＬ８：６８［ｍｍ］、幅Ｗ８：８［ｍｍ］の板状の部材を型抜きにより作成する。開口部保持板８は、袋表面シート部３及び袋裏面シート部４よりも剛性が高く、長さＬ８は、開口部６の横方向の長さよりも長い。この開口部保持板８を、図４に示すように曲げた状態で開口部６を形成する袋表面シート部３の上端部の内側に固定すると、まっすぐに伸びようとする復元力により、袋表面シート部３の上端部を内側から押し出し、袋表面シート部３の上端部が円弧状となるように保持する。これにより、開口部６が開いた良好に開いた状態となり、開口部６から痰を良好に回収できる。
【００１６】
また、袋表面シート部３と袋裏面シート部４とは薄いシート状であるため、回収した痰や空気中の水分等により、互いの端部以外で接触し、くっつくことがある。端部以外の袋状空間２ａを形成する箇所で、袋表面シート部３の内面と袋裏面シート部４の内面とがくっつくと、袋状空間２ａが閉じた状態となり、その袋状空間２ａに収容できる痰の量が減少し、開口部６近傍まで閉じた状態となると、痰を回収できなくなる。
本実施形態の痰受け袋１では、袋状空間２ａを形成する袋表面シート部３と袋裏面シート部４との内面が接触することを防止するシート部接触防止手段として、袋表面シート部３と袋裏面シート部４とを接着している端部の内側に収容空間保持部材７を備えている。収容空間保持部材７はポリエチレン製の一辺が３［ｍｍ］程度の三角形の角棒形状であり、袋表面シート部３と袋裏面シート部４とを接着している端部の内側全周に溶着されている。これにより、接着部以外の袋表面シート部３と袋裏面シート部４との間の空間を保持でき、袋表面シート部３と袋裏面シート部４とがくっつくことを防止できる。よって、袋状空間２ａが良好に形成された状態となり、袋状空間２ａ内に痰を良好に回収できる。
なお、袋状空間２ａを形成する袋表面シート部３と袋裏面シート部４との内面が接触することを防止するシート部接触防止手段である収容空間保持手段としては、袋状部材２と別部材として設けるものに限らず、袋形状を形成するときに、袋表面シート部３と袋裏面シート部４とを接着する端部の内側の厚みを厚くし、端部の剛性を高める構成を用いてもよい。
【００１７】
痰受け袋１の袋状部材２は、袋表面シート部３と袋裏面シート部４とから形成され薄型の形状である。よって、衣類と肌との間に装着しても、衣類が盛り上がることを抑制し、外観に違和感がない。
また、袋裏面シート部４の人体表面と対向する面には、ガーゼ質の布製の層を設けても良い。袋裏面シート部４の人体表面と対向する面は人体表面と接触し、ポリエチレン等のビニール質のものが人体表面に接触することは不快感の原因となる。そこで、袋裏面シート部４の人体表面と対向する面に通気性のあるガーゼ質の層を設けることにより、痰受け袋１の使用が快適になる。
【００１８】
本実施形態の痰受け袋１では、袋表面シート部３の上端部近傍の外側にφ８［ｍｍ］の円形接着部９を備えている。図５及び図６に示すように、痰受け袋１を切開孔の下方に取り付けるとき、切開孔の周りを覆うガーゼ１０２の下端部で痰受け袋１の上端部を覆うようにして取り付ける。このとき、開口部６の上方の人体表面とガーゼ１０２とがくっついていると、切開孔から流出した痰が、開口部６に流入しにくいため、図６に示すように、開口部６の上方には適度な空間が形成されていることが好ましい。よって、痰受け袋１を取り付けるときに、ガーゼ１０２が適度に張った状態で、ガーゼ１０２の下端部を円形接着部９に固定する。これにより、開口部６の上方の人体表面とガーゼ１０２とがくっつくことを防止し、開口部６の上方には適度な空間が形成され、切開孔から流出した痰が開口部６に良好に流入できる。
なお、接着テープ５及び円形接着部９としては、適度な粘着性を備えつつ、人間の肌への影響が少ないものを用いる。接着テープ５及び円形接着部９としては、市販の医療用の両面テープと同様のものを用いることができる。
【００１９】
また、非接触開口端部である袋表面シート部３の上端部は、図６に示すように袋裏面シート部４の上端部の中央部４ｍよりも上方としている。
ガーゼ１０２の下端を固定する袋表面シート部３の上端部と切開孔との間の距離が長すぎると、ガーゼ１０２が切開孔と開口部６との間にくっついた状態となり、切開孔から流出した痰が、開口部６に流入しにくくなる。これを解消すべく袋状部材２を上方に設けると、上述したように人体表面と接触する袋裏面シート部４の上端部が切開孔の近くを刺激することになり、痰の流出量が増える問題が生じる。本実施形態の袋状部材２のように、袋表面シート部３の上端部が上方にあることによりガーゼ１０２が人体表面にくっつくことを防止し、痰の回収性を維持しつつ、中央部４ｍが袋表面シート部３の上端部よりも下方に位置することにより痰の流出量が増加する刺激を軽減できる。
【００２０】
本実施形態の痰受け袋１は、人体表面に取り付けるときには、接着テープ５の保護シートを剥がして、切開孔の下方の貼り付けるだけあるため、取り付けが容易である。また、取り外すときは、接着テープ５を人体表面の肌から引き離すだけで取り外すことができ、痰の回収が容易である。また、痰受け袋１自体が小型であり、交換品を携帯するときのスペースを要さず、交換品の携帯が容易である。
本実施形態では、流出体液回収容器として痰受け袋１について説明したが、本発明は痰受け袋に限らず、体の表面に切開孔が設けられ、この切開孔から流出する体液を回収する回収容器であれば適用可能である。
【図面の簡単な説明】
【００２１】
【図１】本実施形態の痰受け袋の斜視図。
【図２】痰受け袋の正面図。
【図３】痰受け袋の背面図。
【図４】痰受け袋の上面図。
【図５】痰受け袋を人体に取り付けた状態の正面図。
【図６】痰受け袋を人体に取り付けた状態の側方中央断面図。
【図７】開口部保持板８の斜視図。
【符号の説明】
【００２２】
１      痰受け袋
２      袋状部材
２ａ    袋状空間
３      袋表面シート部
４      袋裏面シート部
５      接着テープ
６      開口部
７      収容空間保持部材
８      開口部保持板
９      円形接着部
１０１  カニューレ
１０２  ガーゼ
【図１】
0003123393.tif 000003
【図２】
0003123393.tif 000004
【図３】
0003123393.tif 000005
【図４】
0003123393.tif 000006
【図５】
0003123393.tif 000007
【図６】
0003123393.tif 000008
【図７】
0003123393.tif 000009